(57)【要約】【課題】装置内部に搬送された記憶媒体をターンテーブルと共に挟持するときの挟持音を抑え、前記記憶媒体の挟持を解除する際の動作負荷を軽減することが可能なクランパの移動構造を備えた記録再生装置を提供する。【解決手段】上方側フレーム２ａの懸架部４には、記録再生装置１の内部に搬送する記憶媒体５をターンテーブル８と共に挟持するクランパ９と、前記クランパ９を昇降動する回動部材１０とを組付ける。前記懸架部４と前記回動部材１０とが対向する位置には夫々傾斜部１４，１４，・・及び傾斜部１５，１５，・・を形成し、前記フレーム側傾斜部１４，１４，・・の高さを不均一とすることで回動部材１０を螺旋状に昇降動し、前記回動部材に支持されたクランパ９は、ターンテーブル８とともに記憶媒体５を挟持する挟持位置と前記ターンテーブル８から離間した退避位置との間で傾けた状態で移動可能とした。【選択図】    図１３
2011044189.tif 000002
【特許請求の範囲】
【請求項１】
記憶媒体を保持するターンテーブルと、前記ターンテーブルとの間に記憶媒体を挟持するクランパと、前記ターンテーブルに近接して前記記憶媒体を挟持する挟持位置と前記ターンテーブルから離間した退避位置との間で前記クランパが移動するための移動手段と、を備え、前記移動手段によって前記挟持位置と前記退避位置との間で前記クランパを傾けて移動させることを特徴とするクランパの移動構造を備えた記録再生装置。
【請求項２】
記憶媒体を保持するターンテーブルと、前記ターンテーブルとの間に前記記憶媒体を挟持するクランパと、前記クランパが前記ターンテーブルに近接して記憶媒体を挟持する挟持位置と前記ターンテーブルから離間した退避位置との間で移動する移動手段と、を備え、前記移動手段は、前記クランパを支持する回動部材と、前記回動部材を回動する回動手段とによって構成し、前記回動手段により回動部材が回動して螺旋状に昇降動することで、前記挟持位置と前記退避位置との間で前記クランパを傾けて移動させることを特徴とするクランパの移動構造を備えた記録再生装置。
【請求項３】
記憶媒体を保持するターンテーブルと、前記ターンテーブルとの間に前記記憶媒体を挟持するクランパと、前記クランパを支持する回動部材と、前記回動部材を支持する懸架部と、前記回動部材を回動する回動手段と、を備え、前記懸架部と前記回動部材の対向位置には傾斜部を互いに夫々形成し、前記回動手段によって回動部材が前記懸架部の平坦部および傾斜部に沿って回動することで前記クランパが前記ターンテーブルに近接して前記記憶媒体を挟持する挟持位置と前記ターンテーブルから離間した退避位置との間で移動可能とし、且つ、前記懸架部および／または回動部材に形成する傾斜部の高さを不均一に形成することで、前記回動部材は回動動作によって螺旋状に昇降動するとともに、前記挟持位置と前記退避位置との間で前記クランパを傾けて移動させることを特徴とするクランパの移動構造を備えた記録再生装置。
【請求項４】
前記回動部材には、クランパの支持部分に前記クランパを傾ける凸部を設けたことを特徴とする請求項２または請求項３に記載のクランパの移動構造を備えた記録再生装置。
【請求項５】
前記ターンテーブルは一方端部を支点に傾斜状態と略水平状態とに傾動可能とするトラバースユニットに設け、前記トラバースユニットの傾動動作とクランパの移動手段による移動動作、或いは前記トラバースユニットの傾動動作と回動部材の回動動作とを連動して行うことを特徴とする請求項１乃至請求項４の何れか１項に記載のクランパの移動構造を備えた記録再生装置。
【発明の詳細な説明】
【技術分野】
【０００１】
本発明は、円盤状記憶媒体（以下、単に記憶媒体と称す）を装置内部の所定位置においてターンテーブルと共に挟持するクランパを備えた記録再生装置であって、特に、クランパとターンテーブルとによる記憶媒体の挟持音の軽減を可能とし、さらに前記記憶媒体の挟持を解除する際に生じる負荷を軽減可能としたクランパの移動構造を備えた記録再生装置に関するものである。
【背景技術】
【０００２】
記録再生装置とは、記憶媒体を装置に装填し、前記装置に備えた再生手段によって前記記憶媒体に記録されている情報を読込み再生する、或いは前記装置に備えた記録手段によって前記記憶媒体に対し情報を書込み記録する機能を備えた装置全般の総称である。具体的な記録再生装置を備えた機器を述べれば、音声情報が記録されたＣＤ（Ｃｏｍｐａｃｔ  Ｄｉｓｃ）の再生を可能とするＣＤ  ＰＬＡＹＥＲや、前記ＣＤに加え音声情報及び映像情報が記録されたＤＶＤ（Ｄｉｇｉｔａｌ  Ｖｅｒｓａｔｉｌｅ  Ｄｉｓｃ）の再生を可能とするＤＶＤ  ＰＬＡＹＥＲ、また、記憶媒体に対する再生機能と記録機能とを兼ね備えたＣＤ  ＲＥＣＯＲＤＥＲやＤＶＤ  ＲＥＣＯＲＤＥＲなどがある。さらに、近年では記録情報の大容量化を図った記憶媒体としてブルーレイディスク（Ｂｌｕ−ｒａｙ  Ｄｉｓｃ）があり、このブルーレイディスクに対応した記録再生装置および前記記録再生装置を備えた機器もある。
【０００３】
上記記録再生装置には、大別して記憶媒体を装置外部と装置内部の所定位置との間で搬送する手段（以下、単に搬送手段と称す）と、装置内部の所定位置において前記記憶媒体の再生若しくは記録を可能とする手段（以下、単に記録／再生手段と称す）とを備えている。搬送手段の一例を述べれば、記録再生装置の内外において移動可能とするトレイを備え、装置外部において記憶媒体の交換を可能とする記憶媒体交換位置に搬送する前記トレイ上に記憶媒体を載置して前記記憶媒体を装置内部の所定位置へと搬送する手段や、記録再生装置に挿入口を設け、前記挿入口の内面側にはローラを備えて、前記ローラの回転駆動力により前記挿入口より挿入する記憶媒体を搬送する手段などがある。また、記録／再生手段としては、装置内部の所定位置において記憶媒体を回転させるターンテーブルと、回転する記憶媒体にレーザー光を照射して前記記憶媒体に記録されている情報を読込み再生する、或いは前記記憶媒体に対して情報を書込み記録することが可能な光ピックアップユニットを主要構成部材として備えたトラバースユニットを配設し、前記ターンテーブルの対向位置にはターンテーブルと共に記憶媒体を挟持するクランパを設け、前記ターンテーブルと前記クランパとによって記憶媒体を挟持した状態で回転させ、前記光ピックアップユニットにより前記記憶媒体に記録された情報の再生、或いは前記記憶媒体に対する情報の記録を行う手段が一般的である。
【０００４】
ところで、記憶媒体の搬送時において前記記憶媒体とクランパとが接触し前記記憶媒体が傷付くのを防止するために、前記クランパを記憶媒体の搬送軌道上より退避させるための移動手段が必要となる。例えば、特許文献１には、板ばねを介してクランパを保持する記録再生装置の上方側フレームをターンテーブルに対して近接または離間させる構造とし、前記板ばねを前記上方側フレームの移動方向と同方向に変位させることで、記憶媒体の搬送軌道上より前記クランパを退避させる点が記載されている。また、特許文献２には、上方側フレームの下面側において略Ｕ字形状の支持部材によってクランパを支持する構造とし、前記支持部材の開放部分より略Ｕ字形状の解除部材が回動して前記クランパと前記支持部材との間に入り込むことで、記憶媒体の搬送軌道上より前記クランパを退避させる点が記載されている。
【０００５】
【特許文献１】特開平１１−９６６３５号公報
【特許文献２】特開２００１−３５１２９３号公報
【発明の開示】
【発明が解決しようとする課題】
【０００６】
特許文献１の構造によれば、上方側フレームをターンテーブルに対して近接または離間させる構造が大掛かりとなり、装置全体の大型化や構造の複雑化が懸念される。また、板ばねによるクランパの強制的な上下移動によって、記憶媒体を挟持する際の前記クランパの挟持音が大きくなることが考えられ、装置の品位低下を招く虞がある。さらに、クランパの移動が板ばねの強制的な変形によって行われることから、前記板ばねの変形動作が大きな負荷となって製品寿命の低下を招く危険性がある。
【０００７】
一方、特許文献２の構造によれば、解除部材を上方側フレームの下面側に配置した構造としているため、前記解除部材を配置するためのスペースが記録再生装置の内部において必要となる。また、クランパと支持部材との位置関係を考慮した解除部材の配置が必要となることから、装置の大型化が懸念される。
【０００８】
本発明は、上述した点に鑑みてなされたものであって、その目的とするところは、従来よりも簡素な構造によって装置の薄型化が可能なクランパの昇降機構を実現し、また、装置内部における記憶媒体の挟持音を抑え、さらには、前記記憶媒体の挟持を解除する際の動作負荷を軽減することが可能なクランパの移動構造を備えた記録再生装置を提供することにある。
【課題を解決するための手段】
【０００９】
請求項１に係るクランパの移動構造を備えた記録再生装置は、記憶媒体を保持するターンテーブルと、前記ターンテーブルとの間に記憶媒体を挟持するクランパと、前記ターンテーブルとともに記憶媒体を挟持する挟持位置と前記ターンテーブルから離間した退避位置との間で前記クランパが移動するための移動手段と、を備え、前記移動手段によって前記挟持位置と前記退避位置との間でクランパを傾けて移動させることを特徴とする。
【００１０】
請求項１の構成によれば、移動手段によって挟持位置と退避位置との間でクランパを傾けた状態で移動させることから、クランパとターンテーブルとによって記憶媒体を挟持する場合と記憶媒体から離間する場合とにおいて前記ターンテーブルに対するクランパの漸次的な移動が可能となり、ターンテーブルと共に記憶媒体を挟持するときには、前記ターンテーブルと最も早く近接する部分から前記クランパが傾斜した状態で前記ターンテーブルに対して漸次近接しながら前記記憶媒体を挟持することが出来るため、記憶媒体に対してクランパが略垂直に移動し挟持する場合と比較して前記記憶媒体を挟持する際に発生する挟持音を抑えることが可能となる。また、記憶媒体の挟持状態を解除する場合においても、クランパが傾いた状態で移動し、前記ターンテーブルから最も早く離間する部分より漸次離間することが出来、記憶媒体に対してクランパが略垂直に移動して挟持状態を解除する場合に比べ、前記記憶媒体の挟持を解除する際の磁力による動作負荷を軽減することが可能となる。
【００１１】
請求項２に係るクランパの移動構造を備えた記録再生装置は、記憶媒体を保持するターンテーブルと、前記ターンテーブルとの間に前記記憶媒体を挟持するクランパと、前記クランパが前記ターンテーブルとともに記憶媒体を挟持する挟持位置と前記ターンテーブルから離間した退避位置との間で移動する移動手段と、を備え、前記移動手段は、前記クランパを支持する回動部材と、前記回動部材を回動する回動手段とによって構成し、前記回動手段により回動部材が回動して螺旋状に昇降動することで、前記挟持位置と前記退避位置との間でクランパを傾けて移動させることを特徴とする。
【００１２】
請求項２の構成によれば、回動手段によって回動する回動部材が螺旋状に昇降動することによって、前記回動部材に支持されたクランパを挟持位置と退避位置との間で傾けた状態で移動させることから、クランパとターンテーブルとによって記憶媒体を挟持する場合と記憶媒体から離間する場合とにおいて前記ターンテーブルに対する漸次的な移動が可能となり、ターンテーブルと共に記憶媒体を挟持するときには、前記ターンテーブルと最も早く近接する部分から漸次近接しながら前記記憶媒体を挟持することが出来、記憶媒体に対してクランパが略垂直に移動し挟持する場合と比較して前記記憶媒体を挟持する際に発生する挟持音を抑えることが可能となる。また、記憶媒体の挟持状態を解除する場合においても、クランパが螺旋状に昇降動する回動部材に支持されて傾いた状態で移動し、前記ターンテーブルから最も早く離間する部分より漸次離間することが出来、記憶媒体に対してクランパが略垂直に移動して挟持状態を解除する場合に比べ、前記記憶媒体の挟持を解除する際の磁力による動作負荷を軽減することが可能となる。
【００１３】
請求項３に係るクランパの移動構造を備えた記録再生装置は、記憶媒体を保持するターンテーブルと、前記ターンテーブルとの間に前記記憶媒体を挟持するクランパと、前記クランパを支持する回動部材と、前記回動部材を支持する懸架部と、前記回動部材を回動する回動手段と、を備え、前記懸架部と前記回動部材の対向位置には傾斜部を互いに夫々形成し、前記回動手段によって回動部材が前記懸架部の傾斜部に沿って回動することで前記クランパが前記ターンテーブルとともに記憶媒体を挟持する挟持位置と前記ターンテーブルから離間した退避位置との間で移動可能とし、且つ、前記懸架部および／または前記回動部材に形成する傾斜部の高さを不均一に形成することで、前記回動部材は回動動作によって螺旋状に昇降動するとともに、前記挟持位置と前記退避位置との間でクランパを傾けて移動させることを特徴とする。
【００１４】
請求項３の構成によれば、懸架部と回動部材に夫々形成する傾斜部によって前記回動部材が回動することで螺旋状に昇降動し、前記回動部材に支持されたクランパを挟持位置と退避位置との間で傾けた状態で移動させることから、クランパとターンテーブルとによって記憶媒体を挟持する場合と記憶媒体から離間する場合とにおいて前記ターンテーブルに対する漸次的な移動が可能となり、ターンテーブルと共に記憶媒体を挟持するときには前記ターンテーブルと最も早く近接する部分から漸次近接しながら前記記憶媒体を挟持することが出来、記憶媒体に対してクランパが略垂直に移動し挟持する場合と比較して前記記憶媒体を挟持する際に発生する挟持音を抑えることが可能となる。また、記憶媒体の挟持状態を解除する場合においても、クランパが螺旋状に昇降動する回動部材に支持されて傾いた状態で移動し、前記ターンテーブルから最も早く離間する部分より漸次離間することが出来、記憶媒体に対してクランパが略垂直に移動して挟持状態を解除する場合に比べ、前記記憶媒体の挟持を解除する際の負荷を軽減することが可能となる。さらに、前記懸架部と前記回動部材とに夫々傾斜部を形成することで、例えば前記回動部材のみに傾斜部を形成した場合と比較して前記回動部材の薄型化が可能となり、可動部材たる回動部材の薄型化に伴って記録再生装置の薄型化を実現することが出来る。
【００１５】
請求項４に係るクランパの移動構造を備えた記録再生装置は、請求項２または３に記載のクランパの移動構造を備えた記録再生装置であって、前記回動部材には、クランパの支持部分に前記クランパを傾ける凸部を設けたことを特徴とする。
【００１６】
請求項４の構成によれば、回動部材に設ける凸部によって、前記回動部材に対してクランパをさらに傾けた状態とすることが出来ることから、ターンテーブルと共に記憶媒体を挟持するときには、前記ターンテーブルと最も早く近接する部分から漸次近接しながら前記記憶媒体を挟持することが出来、記憶媒体に対してクランパが略垂直に移動する場合と比較して前記記憶媒体を挟持する際に発生する挟持音を抑えることが可能となる。また、記憶媒体の挟持状態を解除する場合においても、クランパが、螺旋状に昇降動する回動部材に支持されて傾いた状態で移動し、前記ターンテーブルから最も早く離間する部分より漸次離間することが出来、記憶媒体に対してクランパが略垂直に移動する場合と比較して前記記憶媒体の挟持を解除する際の磁力による動作負荷を軽減することが可能となる。
【００１７】
請求項５に係るクランパの移動構造を備えた記録再生装置は、請求項１乃至請求項４の何れか１項に記載のクランパの移動構造を備えた記録再生装置であって、前記ターンテーブルは一方端部を支点に傾斜状態と略水平状態とに傾動可能とするトラバースユニットに設けられ、前記トラバースユニットの傾動動作とクランパの移動手段による移動動作、或いは前記トラバースユニットの傾動動作と回動部材の回動動作とを連動して行うことを特徴とする。
【００１８】
請求項５の構成によれば、トラバースユニットの傾動動作とクランパが挟持位置と退避位置との間で移動する動作とを連動した構造としたため、簡素な構造で記録再生装置の内部に搬送する記憶媒体の挟持を確実に行うことが出来る。
【発明の効果】
【００１９】
以上のような本発明の構成によれば、装置内部の所定位置においてターンテーブルと共に記憶媒体を挟持するクランパを傾けた状態で移動可能としているため、前記記憶媒体を挟持するときには、ターンテーブルとクランパとが最も早く近接する部分から漸次近接することで前記記憶媒体を挟持する際に発生するターンテーブルとクランパとの挟持音を軽減することが出来、前記記録再生装置の品位向上が可能となる。
【００２０】
また、ターンテーブルとクランパとによる記憶媒体の挟持状態を解除するときには、前記ターンテーブルと前記クランパとが最も早く離間する部分から漸次離間することで、記憶媒体の挟持状態を解除する際の磁力による動作負荷を軽減することが出来、記録再生装置の故障要因を軽減することが可能となる。
【００２１】
さらに、クランパを傾けた状態で移動するための傾斜部を懸架部及び回動部材に夫々形成することによって、回動部材の厚さを薄くすることが出来、記録再生装置の薄型化が可能となる。
【００２２】
なお、従来技術と同じく、本発明においても記憶媒体の搬送時におけるクランパとの接触を回避出来、前記記憶媒体の傷付きを防止することも可能である。
【図面の簡単な説明】
【００２３】
【図１】本発明の実施例における記録再生装置の外観斜視図。
【図２】本発明の実施例における記録再生装置の記憶媒体挿入口より記憶媒体を一部挿入した状態を示す縦断面図。
【図３】本発明の実施例における記録再生装置の内部でクランパとターンテーブルとによって記憶媒体を挟持した状態を示す縦断面図。
【図４】本発明の実施例におけるクランパ近傍の構成部材を示す分解斜視図。
【図５】本発明の実施例における上方側フレームを示しており、図５（ａ）は上方側フレームの斜視図、図５（ｂ）は懸架部近傍の部分拡大斜視図。
【図６】本発明の実施例における回動部材を示しており、図６（ａ）は回動部材の平面図、図６（ｂ）は同平面側斜視図、図６（ｃ）は同底面側斜視図、図６（ｄ）は図６（ｃ）の部分拡大斜視図。
【図７】本発明の実施例における回動部材の昇降動作及びトラバースユニットの傾動動作に関係する部材を示す分解斜視図。
【図８】本発明の実施例における記憶媒体の搬送途中の状態を示す図であり、図８（ａ）は記録再生装置全体を示す斜視図、図８（ｂ）はクランパ近傍を示す部分拡大平面図、図８（ｃ）はクランパ及びターンテーブル近傍を示す部分拡大断面図。
【図９】本発明の実施例における記憶媒体が装置内部の所定位置に到達した状態を示す図であり、図９（ａ）は記録再生装置全体を示す斜視図、図９（ｂ）はクランパ近傍を示す部分拡大平面図、図９（ｃ）はクランパ及びターンテーブル近傍を示す部分拡大断面図。
【図１０】本発明の実施例における回動部材の下降動作に伴うクランパの移動途中及びトラバースユニットの傾動途中の状態を示す図であり、図１０（ａ）は記録再生装置全体を示す斜視図、図１０（ｂ）はクランパ近傍を示す部分拡大平面図、図１０（ｃ）はクランパ及びターンテーブル近傍を示す部分拡大断面図。
【図１１】図１０の状態よりもさらに回動部材が下降し、トラバースユニットの傾動が進行した状態を示す図であり、図１１（ａ）は記録再生装置全体を示す斜視図、図１１（ｂ）はクランパ近傍を示す部分拡大平面図、図１１（ｃ）はクランパ及びターンテーブル近傍を示す部分拡大断面図。
【図１２】本発明の実施例においてトラバースユニットが略水平状態となってクランパとターンテーブルとによる記憶媒体の挟持が完了した状態を示す図であり、図１２（ａ）は記録再生装置全体を示す斜視図、図１２（ｂ）はクランパ近傍を示す部分拡大平面図、図１２（ｃ）はクランパ及びターンテーブル近傍を示す部分拡大断面図。
【図１３】図８〜図１２までの各状態におけるクランパ近傍を示す部分拡大断面図
【図１４】図８~図１２までの各状態における回動部材側傾斜部とフレーム側傾斜部との関係を示す概略展開図。
【発明を実施するための形態】
【００２４】
以下、本発明を実施するための最良の形態としての実施例を図１〜図１３を用いて以下に説明する。尚、本発明はその主旨に反しない範囲で、実施例において説明した構成以外のものに対しても容易に適用可能である。
【００２５】
図１は本発明の実施例における記録再生装置を示す外観斜視図である。同図の符号１は記録再生装置、２は記録再生装置１の外観を構成するフレームであり、２ａは上方側フレーム、２ｂは下方側フレームを夫々表している。また、同図の符号３は記憶媒体の挿抜を直接可能とする記憶媒体挿入口、４は記録再生装置１の装置内部における所定位置へと搬送された記憶媒体をターンテーブルと共に挟持する為のクランパ及び後述する回動部材を懸架する懸架部を夫々表している。なお、本実施例における記憶媒体とは、音声信号および／または映像信号を記録した、或いは前記信号の記録を可能とした概略円盤形状を成す媒体であり、例えば、ＣＤ、ＤＶＤ、若しくはブルーレイディスク等と称されるディスク状の記憶媒体である。また、前記記憶媒体には直径が１２０ｍｍの大径の記憶媒体と、直径が８０ｍｍの小径の記憶媒体とが存在する。この記憶媒体を記憶媒体挿入口３より挿入することで図示しない装置内部の搬送機構が働き、前記記憶媒体は装置内部の所定位置へと搬送されるが、このとき、挿入する記憶媒体の大きさが大径の記憶媒体であっても、或いは小径の記憶媒体であっても、装置内部の所定位置へ搬送されてターンテーブルとクランパとによって確実に挟持される構造となっている。
【００２６】
図２は本発明の実施例における記録再生装置の記憶媒体挿入口より記憶媒体を一部挿入した状態を示す縦断面図である。同図の符号５は、記憶媒体挿入口３より挿入する記憶媒体、６は前記記憶媒体挿入口３より挿入された記憶媒体５を装置内部の所定位置へと搬送する、若しくは装置内部の所定位置から前記記憶媒体挿入口３側へと記憶媒体５を搬送するための搬送ローラ、７は前記搬送ローラ６の対向位置にあって記憶媒体５を前記搬送ローラ６側へと押圧する押圧部材、８は記録再生装置１内部の所定位置に到達した記憶媒体５の記録面側より前記記憶媒体５を持上げて回転力を付与するターンテーブル、９は前記ターンテーブル８の対向位置より前記記憶媒体５の表示面（レーベル面）側を押圧して前記ターンテーブル８と共に挟持する為のクランパ、１０は前記クランパ９と共に懸架部４に懸架し、且つ回動可能とする回動部材、１１は前記クランパ９に取着しターンテーブル８に備える磁石との間で磁力を発生させるための磁性体、１２は記録再生装置１の所定位置において回転する記憶媒体５にレーザー光を照射し、反射光から前記記憶媒体５に記録されている情報を読込み再生する、或いは前記記憶媒体５に情報を書込み記録する為の光ピックアップユニット、１３は前記ターンテーブル８及び光ピックアップユニット１２を主要構成部品とし、記録再生装置１の内部において一方端部の支点を中心に傾斜状態と略水平状態とに傾動可能とするトラバースユニットを夫々表している。
同図で示すように、記憶媒体挿入口３より挿入された記憶媒体５は、前記記憶媒体挿入口３の内面側に設けた搬送ローラ６と押圧部材７とによって装置内部の所定位置へと搬送されることとなる。そして、前記記憶媒体５が搬送状態にあるときは、トラバースユニット１３は一方端部(同図右側)の支点を中心として傾斜した状態にあることから、前記トラバースユニット１３の構成部品たるターンテーブル８は前記記憶媒体５の搬送軌道上から退避しており、また、前記ターンテーブル８の対向位置にあるクランパ９は後述する移動手段によって前記記憶媒体５の搬送軌道上から退避することから、前記記憶媒体５の搬送状態を阻害することはない。
【００２７】
図３は本発明の実施例における記録再生装置の内部でクランパとターンテーブルとによって記憶媒体を挟持した状態を示す縦断面図である。同図で示すように、記録再生装置１の内部に搬送された記憶媒体５は、所定位置においてターンテーブル８とクランパ９とによって挟持されることとなる。すなわち、記録再生装置１の所定位置に記憶媒体５が搬送されるならば、傾斜状態にあるトラバースユニット１３は一方端部（同図右側）の支点を中心として傾動し、ターンテーブル８は記憶媒体５に形成する貫通孔に挿嵌して、前記トラバースユニット１３は略水平状態となる。そして、前記トラバースユニット１３の傾動動作に合わせ、前記ターンテーブル８の対向位置にあるクランパ９は後述する移動手段によって下降し、図示しない磁石と磁性体１１との間で発生する磁力によって前記記憶媒体５の上面側（レーベル面側）を押圧して前記ターンテーブル８とともに記憶媒体５は挟持されることとなる。前述の状態となれば、記憶媒体５に記録されている情報を読込み再生する、或いは前記記憶媒体５に対して情報を書込み記録することが可能となる。
【００２８】
次にクランパの移動手段について図４を用いて説明する。図４は本発明の実施例におけるクランパ近傍の構成部材を示す分解斜視図である。同図で示すように、上方側フレーム２ａには略円形状の貫通孔を有する懸架部４を設けており、前記上方側フレーム２ａの下方よりターンテーブル８に備える磁石との間で磁力を発生するための磁性体１１を取着したクランパ９と、前記クランパ９を支持して回動することによって昇降動する回動部材１０とを前記懸架部４へと組付ける構成としている。そして、懸架部４には複数の傾斜部１４，１４，・・が形成してあり、回動部材１０には前記懸架部４との対向位置に傾斜部１５，１５，・・が形成してある。なお、懸架部４に形成する傾斜部１４，１４，・・および回動部材１０に形成する傾斜部１５，１５，・・は互いに同数形成するのが望ましく、さらに、前記傾斜部１４，１４，・・および前記傾斜部１５，１５，・・の両端に夫々平坦部を設けるのが好ましい。以下、懸架部４に形成する傾斜部をフレーム側傾斜部と称し、回動部材１０に形成する傾斜部を回動部材側傾斜部と称して説明を続ける。
【００２９】
回動部材１０は懸架部４に対して回動可能に組付けてあり、前記回動部材１０が回動することによって回動部材側傾斜部１５，１５，・・がフレーム側傾斜部１４，１４，・・に沿って昇降動することとなり、前記回動部材１０の昇降動に合わせて支持されたクランパ９もまた移動することとなる。なお、前記回動部材１０の回動動作は、前記回動部材１０と連結する揺動レバー１６の動作に合わせて行われることとなる。すなわち、上方側フレーム２ａに対して揺動可能に組付ける揺動レバー１６には、揺動する際の支点軸１６ａと前記回動部材１０と連結する連結部１６ｂとを設け、前記揺動軸１６ａを支点に揺動する揺動レバー１６の動作が連結軸１６ｂを介して回動部材１０へと伝達され、前記回動部材１０はクランパ９を支持した状態で上昇或いは下降することとなる。なお、前記揺動レバー１６には、後述する摺動部材と連結する突出部１６ｃを別途設けている。
【００３０】
次に、上方側フレーム２ａの懸架部４と回動部材１０に夫々形成するフレーム側傾斜部１４，１４，・・及び回動部材側傾斜部１５，１５・・の詳細について図５及び図６を用いて説明する。図５は本発明の実施例における上方側フレームを示しており、図５（ａ）は上方側フレームの斜視図、図５（ｂ）は懸架部近傍の部分拡大斜視図である。同図で示すように、上方側フレーム２ａの懸架部４には３つのフレーム側傾斜部１４ａ，１４ｂ，１４ｃが形成されている。そして、フレーム側傾斜部１４ｂとフレーム側傾斜部１４ｃは同一の高さまでほぼ同じ傾斜角度で形成してあるが、フレーム側傾斜部１４ａについては、他のフレーム側傾斜部１４ｂ，１４ｃよりも高く傾斜部分を形成し、３つのフレーム側傾斜部１４ａ，１４ｂ，１４ｃの高さを不均一とした構造としている。また、本実施例では前記フレーム側傾斜部１４ａ，１４ｂ，１４ｃの両端には夫々平坦部分を設けている。
【００３１】
一方、図６は本発明の実施例における回動部材を示しており、図６（ａ）は回動部材の平面図、図６（ｂ）は同平面側斜視図、図６（ｃ）は同底面側斜視図、図６（ｄ）は図６（ｃ）の部分拡大斜視図である。同図で示すように、回動部材１０の略中央には貫通孔１７が形成してあり、前記貫通孔１７の周囲にはクランパ９を挿通して支持するための支持部２４が設けてある。そして、回動部材１０の貫通孔１７にクランパ９を挿通して支持部２４によって支持した状態で前記回動部材１０が回動することで昇降動し、前記クランパ９は前記回動部材１０の昇降動に併せて移動することとなる。また、回動部材１０の外周部分近傍であって、懸架部４と対向する位置には３つの回動部材側傾斜部１５ａ，１５ｂ，１５ｃが形成されている。前記回動部材側傾斜部１５ａ，１５ｂ，１５ｃは同一の高さまでほぼ同じ傾斜角度で形成してあり、前記上方側フレーム２ａの懸架部４に形成するフレーム側傾斜部１４ａ，１４ｂ，１４ｃに対して夫々形成してある。すなわち、フレーム側傾斜部１４ａ，１４ｂ，１４ｃと回動部材側傾斜部１５ａ，１５ｂ，１５ｃとは対応する位置に夫々形成し、回動部材１０が回動することで互いの傾斜部を乗り上げる構造としている。そして、フレーム側傾斜部１４ａ，１４ｂ，１４ｃは高さを不均一に形成してあり、互いの傾斜部を乗り上げるタイミングを変えていることから、回動部材１０は前記フレーム側傾斜部１４ａ，１４ｂ，１４ｃに沿って螺旋状に昇降動することとなり、クランパ９は回動部材１０併せて傾いた状態で移動することとなる。なお、前記回動部材１０の支持部２４にはクランパ９との対向面に部分的に突出した凸部１９を形成している。これは、前記回動部材に対してクランパ９を傾斜した状態で支持するために設けており、詳細については後述する。さらに、前記回動部材１０には、揺動レバー１６の連結軸１６ｂが挿通する連結孔１８が形成してあり、回動部材１０と揺動レバー１６とは連結した状態としている。そして、前記揺動レバー１６を揺動させることによって、前記回動部材１０は回動することとなる。
【００３２】
次に、揺動レバーが揺動する構造について図７を用いて説明する。図７は本発明の実施例におけるクランパの昇降動作及びトラバースユニットの傾動動作に関係する部材を示す分解斜視図である。同図で示すように、上方側フレーム２ａに設ける懸架部４には、磁性体１１を取着したクランパ９と、前記クランパ９を移動する為の回動部材１０とが組付けられている。そして、前記クランパ９に対向してターンテーブル８が位置するようにトラバースユニット１３がフレーム２の内部において傾動可能に配置され、前記トラバースユニット１３の傾動動作は摺動部材２０の摺動動作に連動して行われることとなる。具体的には、前記トラバースユニット１３の前方側に複数の突起部２１，２１，・・が設けてあり、対向する摺動部材２０には前記突起部２１と同数のカム溝２２，２２，・・が設けてある。そして、前記突起部２１，２１，・・は前記カム溝２２，２２，・・に遊嵌しており、前記摺動部材２０が摺動することで突起部２１，２１，・・はカム溝２２，２２，・・に沿って移動し、トラバースユニット１３が支点２５を中心に傾動することとなる。そして、前記摺動部材２０にはトラバースユニット１３の傾動動作と共にクランパ９の移動手段たる回動部材１０の昇降動作にも関係している。すなわち、回動部材１０と連結する揺動レバー１６の突出部１６ｃと摺動部材２０とを連結した構造としており、前記摺動部材２０が摺動することによって前記揺動レバー１６が支点軸１６ａを中心に揺動し、前記揺動レバー１６の連結軸１６ｂを介して回動部材１０が回動することとなり、前記回動部材１０の回動による昇降動作に伴ってクランパ９が移動することとなる。なお、本発明の実施例においては、前記摺動部材２０は下方側フレーム２ｂに摺動可能な状態で組付けられている。
【００３３】
次に、記憶媒体を搬送してから装置内部の所定位置でクランパとターンテーブルとによる前記記憶媒体の挟持が完了するまでの動作に関し、主にクランパの下降動作について図８〜図１３を用いて説明する。図８は本発明の実施例における記憶媒体の搬送途中の状態を示す図であり、図８（ａ）は記録再生装置全体を示す斜視図、図８（ｂ）はクランパ近傍を示す部分拡大平面図、図８（ｃ）はクランパ及びターンテーブル近傍を示す部分拡大断面図、図９は本発明の実施例における記憶媒体が装置内部の所定位置に到達した状態を示す図であり、図９（ａ）は記録再生装置全体を示す斜視図、図９（ｂ）はクランパ近傍を示す部分拡大平面図、図９（ｃ）はクランパ及びターンテーブル近傍を示す部分拡大断面図、図１０は本発明の実施例における回動部材の下降動作に伴うクランパの移動途中及びトラバースユニットの傾動途中の状態を示す図であり、図１０（ａ）は記録再生装置全体を示す斜視図、図１０（ｂ）はクランパ近傍を示す部分拡大平面図、図１０（ｃ）はクランパ及びターンテーブル近傍を示す部分拡大断面図、図１１は図１０の状態よりもさらに回動部材が下降し、トラバースユニットの傾動が進行した状態を示す図であり、図１１（ａ）は記録再生装置全体を示す斜視図、図１１（ｂ）はクランパ近傍を示す部分拡大平面図、図１１（ｃ）はクランパ及びターンテーブル近傍を示す部分拡大断面図、図１２は本発明の実施例においてトラバースユニットが略水平状態となってクランパとターンテーブルとによる記憶媒体の挟持が完了した状態を示す図であり、図１２（ａ）は記憶装置全体を示す斜視図、図１２（ｂ）はクランパ近傍を示す部分拡大平面図、図１２（ｃ）はクランパ及びターンテーブル近傍を示す部分拡大断面図、図１３は図８〜図１２までの各状態におけるクランパ近傍を示す部分拡大断面図、図１４は図８~図１２までの各状態における回動部材側傾斜部とフレーム側傾斜部との関係を示す概略展開図である。
【００３４】
記録再生装置１の記憶媒体挿入口３から記憶媒体５を挿入すると、前記記憶媒体挿入口３の内面側に設けた搬送ローラ６の搬送力によって前記記憶媒体５は所定位置へと搬送されることとなる。このとき、図８で示すように、トラバースユニット１３が一方端部を支点に傾斜した状態となっていることから、ターンテーブル８は前記記憶媒体５の搬送軌道上から退避した位置にある。また、クランパ９を支持する回動部材１０は、前記回動部材１０の回動部材側傾斜部１５ａ,１５ｂ，１５ｃが懸架部４のフレーム側傾斜部１４ａ，１４ｂ，１４ｃに沿って上昇した位置にあり、前記記憶媒体５の搬送軌道上から退避した退避位置にある。このとき、前記回動部材１０の上部は懸架部４に形成された複数の爪部２３，２３，・・によってフレーム２から外れないようになっており、前記爪部２３，２３，・・と懸架部４のフレーム側傾斜部１４ａ，１４ｂ，１４ｃとで前記回動部材１０は挟まれて略水平に保持された状態となっている。
【００３５】
記憶媒体５が図８の位置から搬送ローラ６の搬送力によって装置内部の所定位置に搬送された状態が図９である。このとき、クランパ９とターンテーブル８は図８の状態と同じく前記記憶媒体５の搬送軌道上より退避していることから、搬送する前記記憶媒体５を傷付けることは無い。
【００３６】
記憶媒体５が搬送ローラ６によって記録再生装置１内部の所定位置に搬送されるならば、摺動部材２０が摺動動作を開始し、前記摺動部材２０の摺動動作に連動して回動部材１０の下降動作及びトラバースユニット１３の傾動動作が開始される。図１０は摺動部材２０が僅かに摺動した状態を示している。すなわち、前記摺動部材２０が摺動することによって揺動レバー１６が支点軸１６ａを中心に反時計方向へと揺動し、前記揺動レバー１６の連結軸１６ｂを介して連結状態にある回動部材１０は時計方向へと回動することとなる。このとき、回動部材１０に形成された回動部材側傾斜部１５ａ,１５ｂ，１５ｃが懸架部４に形成されたフレーム側傾斜部１４ａ，１４ｂ，１４ｃに沿って下降し、同じく前記懸架部４に形成された爪部２３，２３，・・と前記回動部材１０との間に隙間が生じる。そして、前記回動部材１０に形成された凸部１９によって、クランパ９は図１０（ｃ）で示すように僅かに傾いた状態で下降することとなる。
【００３７】
図１０で示す状態から摺動部材２０をさらに摺動すれば、回動部材１０は揺動レバー１６の揺動動作によってさらに回動し、前記回動部材１０に形成する回動部材側傾斜部１５ａ，１５ｂ，１５ｃは上方側フレーム２ａの懸架部４に設けたフレーム側傾斜部１４ａ，１４ｂ，１４ｃに沿って下降するとともに、トラバースユニット１３は上昇方向へと一方端部の支点２５を中心に傾動して図１１で示す状態となる。このとき、上方側フレーム２ａの懸架部４に形成されたフレーム側傾斜部１４ａと他のフレーム側傾斜部１４ｂ，１４ｃとの高さが異なり、且つ互いの傾斜部分にかかるタイミングを変えていることから、図１１（ｃ）で示すように前記回動部材１０は傾いた状態で下降し、前記回動部材１０に支持されたクランパ９もさらに傾いた状態となる。そして、前記クランパ９の対向位置にあるターンテーブル８は、記憶媒体５に形成された貫通孔にその一部を挿嵌して持上げることとなる。なお、前記回動部材１０に支持されたクランパ９の傾きは傾動するトラバースユニット１３に合わせて設けている。すなわち、前記クランパ９の傾斜状態は傾動するトラバースユニット１３の主要構成部品たるターンテーブル８と略対称的となっており、互いが最も近接する位置から所定位置にある記憶媒体５を漸次挟持するように設けてあり、前述の構造によって前記記憶媒体５を挟持する際の挟持音を最小限に抑えることが可能となる。
【００３８】
図１１で示す状態から摺動部材２０をさらに摺動すれば、回動部材１０は揺動レバー１６の揺動動作によってさらに回動し、前記回動部材１０に形成する回動部材側傾斜部１５ａ，１５ｂ，１５ｃは上方側フレーム２ａの懸架部４に設けたフレーム側傾斜部１４ａ，１４ｂ，１４ｃに沿って下降すると共に、トラバースユニット１３は一方端部の支点２５を中心に傾動して図１２で示す略水平な状態となる。同図で示すように、挟持位置にあるクランパ９は記憶媒体５の表示面側（レーベル面側）と当接して回動部材１０から離間した状態となる。また、ターンテーブル８は前記記憶媒体５を持上げた状態となり、この状態から前記記憶媒体５を回転して光ピックアップユニット１２によって情報の読込み若しくは情報の書込みが可能となる。なお、本発明の実施例においては、クランパ９に磁性体１１を取着し、対向位置にあるターンテーブル８には磁石を備えた構成としている。すなわち、所定位置にある記憶媒体５の挟持は、クランパ９に取着した磁性体１１とターンテーブル８に備えた磁石との間で発生する磁力によってなされることとなる。
【００３９】
図１３は図８〜図１２までの各状態におけるクランパ近傍を示した部分拡大断面図である。記憶媒体５が記録再生装置１の所定位置に到達するまでは、図１３（ａ）及び図１３（ｂ）で示すように、クランパが退避位置において回動部材１０と爪部２３とに挟持されて略水平状態となっている。そして、ターンテーブル１３が傾動動作を始めると同時に回動部材１０が回動して下降するとともに、支持されたクランパ９も併せて移動を開始する。図１３（ｃ）は回動部材１０が時計方向へと回動して下降する途中の状態を示しており、回動部材１０の支持部２４に形成した凸部１９によって、クランパ９は傾いた状態で前記回動部材１０と共に下降することとなる。図１３（ｃ）の状態からさらに回動部材１０が時計方向へと回動するならば、フレーム側傾斜部１４ａに沿って移動する回動部材側傾斜部１５ａが、他の傾斜部よりも早く下降することとなり、前記回動部材１０は図１３（ｄ）で示すように傾いた状態となる。そして、前記回動部材１０に支持されたクランパ９は、前記回動部材１０の傾斜状態によって図１３（ｃ）で示す状態よりもさらに傾くこととなる。この状態から、対向位置より傾動するトラバースユニット１３のターンテーブル８によって持上げられた記憶媒体５の表示面側（レーベル面側）を、前記ターンテーブル８と最も早く近接する部分からクランパ９が漸次近接して磁力により前記記憶媒体５を挟持することとなる。図１３（ｅ）は挟持位置においてターンテーブル８とともに記憶媒体５を挟持したときのクランパ９の状態を示している。
【００４０】
図１４は図８~図１２までの各状態における回動部材側傾斜部とフレーム側傾斜部との関係を示す概略展開図である。図１４（ａ）及び図１４（ｂ）で示すように、クランパが退避位置にあるときは回動部材側傾斜部１５ａがフレーム側傾斜部１４ａの傾斜部分にかかった状態にあり、回動部材側傾斜部１５ｂと回動部材側傾斜部１５ｃはフレーム側傾斜部１４ｂとフレーム側傾斜部１４ｃの上方側平坦部分に乗り上げた状態にある。この状態から、回動部材１０が回動することで回動部材側傾斜部１５ａ，１５ｂ，１５ｃはフレーム側傾斜部１４ａ，１４ｂ，１４ｃに沿って移動することとなるが、フレーム側傾斜部１４ａと他のフレーム側傾斜部１４ｂ，１４ｃとの高さが異なり、且つ互いの傾斜部分にかかるタイミングを変えていることから、図１４（ｃ）及び図１４（ｄ）で示すように回動部材側傾斜部１５ｂ，１５ｃがフレーム側傾斜部１４ｂ，１４ｃを下降するよりも先に回動部材側傾斜部１５ａがフレーム側傾斜部１４ａを下降して前記回動部材１０は傾斜状態となる。特に図１４（ｄ）で示す状態においては、フレーム側傾斜部１４ａに対する回動部材側傾斜部１５ａの高さ方向の位置とフレーム側傾斜部１４ｂ，１４ｃに対する回動部材側傾斜部１５ｂ，１５ｃの高さ方向の位置との間で図示ｘの差が生じ、回動部材１０は傾く。そして、回動部材１０がさらに回動することで回動部材側傾斜部１５ａ，１５ｂ，１５ｃはフレーム側傾斜部１４ａ，１４ｂ，１４ｃの下方側平坦部分にかかり、前記回動部材１０は略水平状態となる。
【００４１】
なお、記録再生装置１の内部から記憶媒体挿入口３へと記憶媒体５を搬送するときの動作については、前述の逆の動作によって行われることとなる。すなわち、ユーザーが記録再生装置１の内部から記憶媒体挿入口３へと記憶媒体５を搬送するための機器外部に備える操作釦などを押圧することでトラバースユニット１３は略水平状態から傾斜状態へと傾動するとともに、クランパ９は回動部材１０の回動動作によって挟持位置から退避位置へと移動することとなる。ここで、クランパ９は、懸架部４に設けたフレーム側傾斜部１４ａ，１４ｂ，１４ｃと、回動部材１０に設けた回動部材側傾斜部１５ａ，１５ｂ，１５ｃ、および凸部１９によって傾いた状態で移動し、ターンテーブル８とクランパ９とが最も早く離間する部分から漸次離間することとなり、磁力による負荷を軽減しながら移動することとなる。
【００４２】
以上、本発明の一実施例について詳述したが、本発明は前記実施例に限定されるものではなく、本発明の要旨の範囲内で種々の変形実施が可能である。例えば前記実施例では、懸架部に形成する複数の傾斜部の高さを変更することで回動部材を螺旋状に昇降動し、さらに回動部材の支持部に凸部を設けることによってクランパを傾けた状態で移動する例を示したが、懸架部に形成する傾斜部の高さを一定とし、回動部材に形成する複数の傾斜部の高さを変更してもよく、また、前記懸架部に形成する傾斜部の上部に沿って移動する回動部材１０の傾斜部の夫々の移動するタイミングを変えて位相をずらすように構成してもよい。加えて、本実施例ではクランパに磁性体を取着し、対向するターンテーブルに磁石を備えた例を示したが、クランパに磁石を取着してターンテーブルに磁性体を取着する構成であってもよく、磁力による記憶媒体の挟持手段に限定することなく適宜選定すればよい。さらに、本発明の実施例では、記憶媒体搬送手段として搬送ローラと押圧部材とによるスロットイン方式の構成を示したが、同じスロットイン方式であっても記憶媒体の外周縁に当接する搬送ローラを備えた構造や、スロットイン方式以外の搬送手段として記憶媒体の載置部を備えたトレイによる搬送手段であってもよく、本発明の実施例に限定するものではなく適宜選定すればよい。
【符号の説明】
【００４３】
１    記録再生装置
２    フレーム
２ａ  上方側フレーム
２ｂ  下方側フレーム
３    記憶媒体挿入口
４    懸架部
５    記憶媒体
６    搬送ローラ
７    押圧部材
８    ターンテーブル
９    クランパ
１０    回動部材
１１    磁性体
１２    光ピックアップユニット
１３    トラバースユニット
１４（１４ａ，１４ｂ，１４ｃ）    フレーム側傾斜部
１５（１５ａ，１５ｂ，１５ｃ）    回動部材側傾斜部
１６    揺動レバー
１６ａ  支点軸
１６ｂ  連結軸
１６ｃ  突出部
１７    貫通孔
１８    連結孔
１９    凸部
２０    摺動部材
２１    突起部
２２    カム溝
２３    爪部
２４    支持部
２５    支点
【図１】
2011044189.tif 000003
【図２】
2011044189.tif 000004
【図３】
2011044189.tif 000005
【図４】
2011044189.tif 000006
【図５】
2011044189.tif 000007
【図６】
2011044189.tif 000008
【図７】
2011044189.tif 000009
【図８】
2011044189.tif 000010
【図９】
2011044189.tif 000011
【図１０】
2011044189.tif 000012
【図１１】
2011044189.tif 000013
【図１２】
2011044189.tif 000014
【図１３】
2011044189.tif 000015
【図１４】
2011044189.tif 000016
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
記憶媒体を保持するターンテーブルと、前記ターンテーブルとの間に前記記憶媒体を挟持するクランパと、前記クランパを支持する回動部材と、前記回動部材を支持する懸架部と、前記回動部材を回動する回動手段と、を備え、前記懸架部と前記回動部材の対向位置には傾斜部を互いに夫々形成し、前記回動手段によって回動部材が前記懸架部の平坦部および傾斜部に沿って回動することで前記クランパが前記ターンテーブルに近接して前記記憶媒体を挟持する挟持位置と前記ターンテーブルから離間した退避位置との間で移動可能とし、且つ、前記懸架部および／または回動部材に形成する傾斜部の高さを不均一に形成し、さらに、互いの傾斜部分にかかるタイミングを変えることで、前記回動部材は回動動作によって螺旋状に昇降動するとともに、前記挟持位置と前記退避位置との間で前記クランパを傾けて移動させることを特徴とするクランパの移動構造を備えた記録再生装置。
【請求項２】
前記回動部材には、クランパの支持部分に前記クランパを傾ける凸部を設けたことを特徴とする請求項１に記載のクランパの移動構造を備えた記録再生装置。
【請求項３】
前記ターンテーブルは一方端部を支点に傾斜状態と略水平状態とに傾動可能とするトラバースユニットに設け、前記トラバースユニットの傾動動作とクランパの移動手段による移動動作、或いは前記トラバースユニットの傾動動作と回動部材の回動動作とを連動して行うことを特徴とする請求項１又は請求項２の何れか１項に記載のクランパの移動構造を備えた記録再生装置。
【手続補正２】
【補正対象書類名】明細書
【補正対象項目名】全文
【補正方法】変更
【補正の内容】
【発明の詳細な説明】
【技術分野】
【０００１】
本発明は、円盤状記憶媒体（以下、単に記憶媒体と称す）を装置内部の所定位置においてターンテーブルと共に挟持するクランパを備えた記録再生装置であって、特に、クランパとターンテーブルとによる記憶媒体の挟持音の軽減を可能とし、さらに前記記憶媒体の挟持を解除する際に生じる負荷を軽減可能としたクランパの移動構造を備えた記録再生装置に関するものである。
【背景技術】
【０００２】
記録再生装置とは、記憶媒体を装置に装填し、前記装置に備えた再生手段によって前記記憶媒体に記録されている情報を読込み再生する、或いは前記装置に備えた記録手段によって前記記憶媒体に対し情報を書込み記録する機能を備えた装置全般の総称である。具体的な記録再生装置を備えた機器を述べれば、音声情報が記録されたＣＤ（Ｃｏｍｐａｃｔ  Ｄｉｓｃ）の再生を可能とするＣＤ  ＰＬＡＹＥＲや、前記ＣＤに加え音声情報及び映像情報が記録されたＤＶＤ（Ｄｉｇｉｔａｌ  Ｖｅｒｓａｔｉｌｅ  Ｄｉｓｃ）の再生を可能とするＤＶＤ  ＰＬＡＹＥＲ、また、記憶媒体に対する再生機能と記録機能とを兼ね備えたＣＤ  ＲＥＣＯＲＤＥＲやＤＶＤ  ＲＥＣＯＲＤＥＲなどがある。さらに、近年では記録情報の大容量化を図った記憶媒体としてブルーレイディスク（Ｂｌｕ−ｒａｙ  Ｄｉｓｃ）があり、このブルーレイディスクに対応した記録再生装置および前記記録再生装置を備えた機器もある。
【０００３】
上記記録再生装置には、大別して記憶媒体を装置外部と装置内部の所定位置との間で搬送する手段（以下、単に搬送手段と称す）と、装置内部の所定位置において前記記憶媒体の再生若しくは記録を可能とする手段（以下、単に記録／再生手段と称す）とを備えている。搬送手段の一例を述べれば、記録再生装置の内外において移動可能とするトレイを備え、装置外部において記憶媒体の交換を可能とする記憶媒体交換位置に搬送する前記トレイ上に記憶媒体を載置して前記記憶媒体を装置内部の所定位置へと搬送する手段や、記録再生装置に挿入口を設け、前記挿入口の内面側にはローラを備えて、前記ローラの回転駆動力により前記挿入口より挿入する記憶媒体を搬送する手段などがある。また、記録／再生手段としては、装置内部の所定位置において記憶媒体を回転させるターンテーブルと、回転する記憶媒体にレーザー光を照射して前記記憶媒体に記録されている情報を読込み再生する、或いは前記記憶媒体に対して情報を書込み記録することが可能な光ピックアップユニットを主要構成部材として備えたトラバースユニットを配設し、前記ターンテーブルの対向位置にはターンテーブルと共に記憶媒体を挟持するクランパを設け、前記ターンテーブルと前記クランパとによって記憶媒体を挟持した状態で回転させ、前記光ピックアップユニットにより前記記憶媒体に記録された情報の再生、或いは前記記憶媒体に対する情報の記録を行う手段が一般的である。
【０００４】
ところで、記憶媒体の搬送時において前記記憶媒体とクランパとが接触し前記記憶媒体が傷付くのを防止するために、前記クランパを記憶媒体の搬送軌道上より退避させるための移動手段が必要となる。例えば、特許文献１には、板ばねを介してクランパを保持する記録再生装置の上方側フレームをターンテーブルに対して近接または離間させる構造とし、前記板ばねを前記上方側フレームの移動方向と同方向に変位させることで、記憶媒体の搬送軌道上より前記クランパを退避させる点が記載されている。また、特許文献２には、上方側フレームの下面側において略Ｕ字形状の支持部材によってクランパを支持する構造とし、前記支持部材の開放部分より略Ｕ字形状の解除部材が回動して前記クランパと前記支持部材との間に入り込むことで、記憶媒体の搬送軌道上より前記クランパを退避させる点が記載されている。
【０００５】
【特許文献１】特開平１１−９６６３５号公報
【特許文献２】特開２００１−３５１２９３号公報
【発明の開示】
【発明が解決しようとする課題】
【０００６】
特許文献１の構造によれば、上方側フレームをターンテーブルに対して近接または離間させる構造が大掛かりとなり、装置全体の大型化や構造の複雑化が懸念される。また、板ばねによるクランパの強制的な上下移動によって、記憶媒体を挟持する際の前記クランパの挟持音が大きくなることが考えられ、装置の品位低下を招く虞がある。さらに、クランパの移動が板ばねの強制的な変形によって行われることから、前記板ばねの変形動作が大きな負荷となって製品寿命の低下を招く危険性がある。
【０００７】
一方、特許文献２の構造によれば、解除部材を上方側フレームの下面側に配置した構造としているため、前記解除部材を配置するためのスペースが記録再生装置の内部において必要となる。また、クランパと支持部材との位置関係を考慮した解除部材の配置が必要となることから、装置の大型化が懸念される。
【０００８】
本発明は、上述した点に鑑みてなされたものであって、その目的とするところは、従来よりも簡素な構造によって装置の薄型化が可能なクランパの昇降機構を実現し、また、装置内部における記憶媒体の挟持音を抑え、さらには、前記記憶媒体の挟持を解除する際の動作負荷を軽減することが可能なクランパの移動構造を備えた記録再生装置を提供することにある。
【課題を解決するための手段】
【０００９】
請求項１に係るクランパの移動構造を備えた記録再生装置は、記憶媒体を保持するターンテーブルと、前記ターンテーブルとの間に前記記憶媒体を挟持するクランパと、前記クランパを支持する回動部材と、前記回動部材を支持する懸架部と、前記回動部材を回動する回動手段と、を備え、前記懸架部と前記回動部材の対向位置には傾斜部を互いに夫々形成し、前記回動手段によって回動部材が前記懸架部の傾斜部に沿って回動することで前記クランパが前記ターンテーブルとともに記憶媒体を挟持する挟持位置と前記ターンテーブルから離間した退避位置との間で移動可能とし、且つ、前記懸架部および／または前記回動部材に形成する傾斜部の高さを不均一に形成し、さらに、互いの傾斜部分にかかるタイミングを変えることで、前記回動部材は回動動作によって螺旋状に昇降動するとともに、前記挟持位置と前記退避位置との間でクランパを傾けて移動させることを特徴とする。
【００１０】
請求項１の構成によれば、懸架部と回動部材に夫々形成する高さを不均一とした傾斜部と、前記傾斜部の互いの傾斜部分にかかるタイミングを変えることによって前記回動部材が回動することで螺旋状に昇降動し、前記回動部材に支持されたクランパを挟持位置と退避位置との間で傾けた状態で移動させることから、クランパとターンテーブルとによって記憶媒体を挟持する場合と記憶媒体から離間する場合とにおいて前記ターンテーブルに対する漸次的な移動が可能となり、ターンテーブルと共に記憶媒体を挟持するときには前記ターンテーブルと最も早く近接する部分から漸次近接しながら前記記憶媒体を挟持することが出来、記憶媒体に対してクランパが略垂直に移動し挟持する場合と比較して前記記憶媒体を挟持する際に発生する挟持音を抑えることが可能となる。また、記憶媒体の挟持状態を解除する場合においても、クランパが螺旋状に昇降動する回動部材に支持されて傾いた状態で移動し、前記ターンテーブルから最も早く離間する部分より漸次離間することが出来、記憶媒体に対してクランパが略垂直に移動して挟持状態を解除する場合に比べ、前記記憶媒体の挟持を解除する際の負荷を軽減することが可能となる。さらに、前記懸架部と前記回動部材とに夫々傾斜部を形成することで、例えば前記回動部材のみに傾斜部を形成した場合と比較して前記回動部材の薄型化が可能となり、可動部材たる回動部材の薄型化に伴って記録再生装置の薄型化を実現することが出来る。
【００１１】
請求項２に係るクランパの移動構造を備えた記録再生装置は、請求項１に記載のクランパの移動構造を備えた記録再生装置であって、前記回動部材には、クランパの支持部分に前記クランパを傾ける凸部を設けたことを特徴とする。
【００１２】
請求項２の構成によれば、回動部材に設ける凸部によって、前記回動部材に対してクランパをさらに傾けた状態とすることが出来ることから、ターンテーブルと共に記憶媒体を挟持するときには、前記ターンテーブルと最も早く近接する部分から漸次近接しながら前記記憶媒体を挟持することが出来、記憶媒体に対してクランパが略垂直に移動する場合と比較して前記記憶媒体を挟持する際に発生する挟持音を抑えることが可能となる。また、記憶媒体の挟持状態を解除する場合においても、クランパが、螺旋状に昇降動する回動部材に支持されて傾いた状態で移動し、前記ターンテーブルから最も早く離間する部分より漸次離間することが出来、記憶媒体に対してクランパが略垂直に移動する場合と比較して前記記憶媒体の挟持を解除する際の磁力による動作負荷を軽減することが可能となる。
【００１３】
請求項３に係るクランパの移動構造を備えた記録再生装置は、請求項１又は請求項２の何れか１項に記載のクランパの移動構造を備えた記録再生装置であって、前記ターンテーブルは一方端部を支点に傾斜状態と略水平状態とに傾動可能とするトラバースユニットに設けられ、前記トラバースユニットの傾動動作とクランパの移動手段による移動動作、或いは前記トラバースユニットの傾動動作と回動部材の回動動作とを連動して行うことを特徴とする。
【００１４】
請求項３の構成によれば、トラバースユニットの傾動動作とクランパが挟持位置と退避位置との間で移動する動作とを連動した構造としたため、簡素な構造で記録再生装置の内部に搬送する記憶媒体の挟持を確実に行うことが出来る。
【発明の効果】
【００１５】
以上のような本発明の構成によれば、装置内部の所定位置においてターンテーブルと共に記憶媒体を挟持するクランパを傾けた状態で移動可能としているため、前記記憶媒体を挟持するときには、ターンテーブルとクランパとが最も早く近接する部分から漸次近接することで前記記憶媒体を挟持する際に発生するターンテーブルとクランパとの挟持音を軽減することが出来、前記記録再生装置の品位向上が可能となる。
【００１６】
また、ターンテーブルとクランパとによる記憶媒体の挟持状態を解除するときには、前記ターンテーブルと前記クランパとが最も早く離間する部分から漸次離間することで、記憶媒体の挟持状態を解除する際の磁力による動作負荷を軽減することが出来、記録再生装置の故障要因を軽減することが可能となる。
【００１７】
さらに、クランパを傾けた状態で移動するための傾斜部を懸架部及び回動部材に夫々形成することによって、回動部材の厚さを薄くすることが出来、記録再生装置の薄型化が可能となる。
【００１８】
なお、従来技術と同じく、本発明においても記憶媒体の搬送時におけるクランパとの接触を回避出来、前記記憶媒体の傷付きを防止することも可能である。
【図面の簡単な説明】
【００１９】
【図１】本発明の実施例における記録再生装置の外観斜視図。
【図２】本発明の実施例における記録再生装置の記憶媒体挿入口より記憶媒体を一部挿入した状態を示す縦断面図。
【図３】本発明の実施例における記録再生装置の内部でクランパとターンテーブルとによって記憶媒体を挟持した状態を示す縦断面図。
【図４】本発明の実施例におけるクランパ近傍の構成部材を示す分解斜視図。
【図５】本発明の実施例における上方側フレームを示しており、図５（ａ）は上方側フレームの斜視図、図５（ｂ）は懸架部近傍の部分拡大斜視図。
【図６】本発明の実施例における回動部材を示しており、図６（ａ）は回動部材の平面図、図６（ｂ）は同平面側斜視図、図６（ｃ）は同底面側斜視図、図６（ｄ）は図６（ｃ）の部分拡大斜視図。
【図７】本発明の実施例における回動部材の昇降動作及びトラバースユニットの傾動動作に関係する部材を示す分解斜視図。
【図８】本発明の実施例における記憶媒体の搬送途中の状態を示す図であり、図８（ａ）は記録再生装置全体を示す斜視図、図８（ｂ）はクランパ近傍を示す部分拡大平面図、図８（ｃ）はクランパ及びターンテーブル近傍を示す部分拡大断面図。
【図９】本発明の実施例における記憶媒体が装置内部の所定位置に到達した状態を示す図であり、図９（ａ）は記録再生装置全体を示す斜視図、図９（ｂ）はクランパ近傍を示す部分拡大平面図、図９（ｃ）はクランパ及びターンテーブル近傍を示す部分拡大断面図。
【図１０】本発明の実施例における回動部材の下降動作に伴うクランパの移動途中及びトラバースユニットの傾動途中の状態を示す図であり、図１０（ａ）は記録再生装置全体を示す斜視図、図１０（ｂ）はクランパ近傍を示す部分拡大平面図、図１０（ｃ）はクランパ及びターンテーブル近傍を示す部分拡大断面図。
【図１１】図１０の状態よりもさらに回動部材が下降し、トラバースユニットの傾動が進行した状態を示す図であり、図１１（ａ）は記録再生装置全体を示す斜視図、図１１（ｂ）はクランパ近傍を示す部分拡大平面図、図１１（ｃ）はクランパ及びターンテーブル近傍を示す部分拡大断面図。
【図１２】本発明の実施例においてトラバースユニットが略水平状態となってクランパとターンテーブルとによる記憶媒体の挟持が完了した状態を示す図であり、図１２（ａ）は記録再生装置全体を示す斜視図、図１２（ｂ）はクランパ近傍を示す部分拡大平面図、図１２（ｃ）はクランパ及びターンテーブル近傍を示す部分拡大断面図。
【図１３】図８〜図１２までの各状態におけるクランパ近傍を示す部分拡大断面図
【図１４】図８~図１２までの各状態における回動部材側傾斜部とフレーム側傾斜部との関係を示す概略展開図。
【発明を実施するための形態】
【００２０】
以下、本発明を実施するための最良の形態としての実施例を図１〜図１３を用いて以下に説明する。尚、本発明はその主旨に反しない範囲で、実施例において説明した構成以外のものに対しても容易に適用可能である。
【００２１】
図１は本発明の実施例における記録再生装置を示す外観斜視図である。同図の符号１は記録再生装置、２は記録再生装置１の外観を構成するフレームであり、２ａは上方側フレーム、２ｂは下方側フレームを夫々表している。また、同図の符号３は記憶媒体の挿抜を直接可能とする記憶媒体挿入口、４は記録再生装置１の装置内部における所定位置へと搬送された記憶媒体をターンテーブルと共に挟持する為のクランパ及び後述する回動部材を懸架する懸架部を夫々表している。なお、本実施例における記憶媒体とは、音声信号および／または映像信号を記録した、或いは前記信号の記録を可能とした概略円盤形状を成す媒体であり、例えば、ＣＤ、ＤＶＤ、若しくはブルーレイディスク等と称されるディスク状の記憶媒体である。また、前記記憶媒体には直径が１２０ｍｍの大径の記憶媒体と、直径が８０ｍｍの小径の記憶媒体とが存在する。この記憶媒体を記憶媒体挿入口３より挿入することで図示しない装置内部の搬送機構が働き、前記記憶媒体は装置内部の所定位置へと搬送されるが、このとき、挿入する記憶媒体の大きさが大径の記憶媒体であっても、或いは小径の記憶媒体であっても、装置内部の所定位置へ搬送されてターンテーブルとクランパとによって確実に挟持される構造となっている。
【００２２】
図２は本発明の実施例における記録再生装置の記憶媒体挿入口より記憶媒体を一部挿入した状態を示す縦断面図である。同図の符号５は、記憶媒体挿入口３より挿入する記憶媒体、６は前記記憶媒体挿入口３より挿入された記憶媒体５を装置内部の所定位置へと搬送する、若しくは装置内部の所定位置から前記記憶媒体挿入口３側へと記憶媒体５を搬送するための搬送ローラ、７は前記搬送ローラ６の対向位置にあって記憶媒体５を前記搬送ローラ６側へと押圧する押圧部材、８は記録再生装置１内部の所定位置に到達した記憶媒体５の記録面側より前記記憶媒体５を持上げて回転力を付与するターンテーブル、９は前記ターンテーブル８の対向位置より前記記憶媒体５の表示面（レーベル面）側を押圧して前記ターンテーブル８と共に挟持する為のクランパ、１０は前記クランパ９と共に懸架部４に懸架し、且つ回動可能とする回動部材、１１は前記クランパ９に取着しターンテーブル８に備える磁石との間で磁力を発生させるための磁性体、１２は記録再生装置１の所定位置において回転する記憶媒体５にレーザー光を照射し、反射光から前記記憶媒体５に記録されている情報を読込み再生する、或いは前記記憶媒体５に情報を書込み記録する為の光ピックアップユニット、１３は前記ターンテーブル８及び光ピックアップユニット１２を主要構成部品とし、記録再生装置１の内部において一方端部の支点を中心に傾斜状態と略水平状態とに傾動可能とするトラバースユニットを夫々表している。
同図で示すように、記憶媒体挿入口３より挿入された記憶媒体５は、前記記憶媒体挿入口３の内面側に設けた搬送ローラ６と押圧部材７とによって装置内部の所定位置へと搬送されることとなる。そして、前記記憶媒体５が搬送状態にあるときは、トラバースユニット１３は一方端部(同図右側)の支点を中心として傾斜した状態にあることから、前記トラバースユニット１３の構成部品たるターンテーブル８は前記記憶媒体５の搬送軌道上から退避しており、また、前記ターンテーブル８の対向位置にあるクランパ９は後述する移動手段によって前記記憶媒体５の搬送軌道上から退避することから、前記記憶媒体５の搬送状態を阻害することはない。
【００２３】
図３は本発明の実施例における記録再生装置の内部でクランパとターンテーブルとによって記憶媒体を挟持した状態を示す縦断面図である。同図で示すように、記録再生装置１の内部に搬送された記憶媒体５は、所定位置においてターンテーブル８とクランパ９とによって挟持されることとなる。すなわち、記録再生装置１の所定位置に記憶媒体５が搬送されるならば、傾斜状態にあるトラバースユニット１３は一方端部（同図右側）の支点を中心として傾動し、ターンテーブル８は記憶媒体５に形成する貫通孔に挿嵌して、前記トラバースユニット１３は略水平状態となる。そして、前記トラバースユニット１３の傾動動作に合わせ、前記ターンテーブル８の対向位置にあるクランパ９は後述する移動手段によって下降し、図示しない磁石と磁性体１１との間で発生する磁力によって前記記憶媒体５の上面側（レーベル面側）を押圧して前記ターンテーブル８とともに記憶媒体５は挟持されることとなる。前述の状態となれば、記憶媒体５に記録されている情報を読込み再生する、或いは前記記憶媒体５に対して情報を書込み記録することが可能となる。
【００２４】
次にクランパの移動手段について図４を用いて説明する。図４は本発明の実施例におけるクランパ近傍の構成部材を示す分解斜視図である。同図で示すように、上方側フレーム２ａには略円形状の貫通孔を有する懸架部４を設けており、前記上方側フレーム２ａの下方よりターンテーブル８に備える磁石との間で磁力を発生するための磁性体１１を取着したクランパ９と、前記クランパ９を支持して回動することによって昇降動する回動部材１０とを前記懸架部４へと組付ける構成としている。そして、懸架部４には複数の傾斜部１４，１４，・・が形成してあり、回動部材１０には前記懸架部４との対向位置に傾斜部１５，１５，・・が形成してある。なお、懸架部４に形成する傾斜部１４，１４，・・および回動部材１０に形成する傾斜部１５，１５，・・は互いに同数形成するのが望ましく、さらに、前記傾斜部１４，１４，・・および前記傾斜部１５，１５，・・の両端に夫々平坦部を設けるのが好ましい。以下、懸架部４に形成する傾斜部をフレーム側傾斜部と称し、回動部材１０に形成する傾斜部を回動部材側傾斜部と称して説明を続ける。
【００２５】
回動部材１０は懸架部４に対して回動可能に組付けてあり、前記回動部材１０が回動することによって回動部材側傾斜部１５，１５，・・がフレーム側傾斜部１４，１４，・・に沿って昇降動することとなり、前記回動部材１０の昇降動に合わせて支持されたクランパ９もまた移動することとなる。なお、前記回動部材１０の回動動作は、前記回動部材１０と連結する揺動レバー１６の動作に合わせて行われることとなる。すなわち、上方側フレーム２ａに対して揺動可能に組付ける揺動レバー１６には、揺動する際の支点軸１６ａと前記回動部材１０と連結する連結部１６ｂとを設け、前記揺動軸１６ａを支点に揺動する揺動レバー１６の動作が連結軸１６ｂを介して回動部材１０へと伝達され、前記回動部材１０はクランパ９を支持した状態で上昇或いは下降することとなる。なお、前記揺動レバー１６には、後述する摺動部材と連結する突出部１６ｃを別途設けている。
【００２６】
次に、上方側フレーム２ａの懸架部４と回動部材１０に夫々形成するフレーム側傾斜部１４，１４，・・及び回動部材側傾斜部１５，１５・・の詳細について図５及び図６を用いて説明する。図５は本発明の実施例における上方側フレームを示しており、図５（ａ）は上方側フレームの斜視図、図５（ｂ）は懸架部近傍の部分拡大斜視図である。同図で示すように、上方側フレーム２ａの懸架部４には３つのフレーム側傾斜部１４ａ，１４ｂ，１４ｃが形成されている。そして、フレーム側傾斜部１４ｂとフレーム側傾斜部１４ｃは同一の高さまでほぼ同じ傾斜角度で形成してあるが、フレーム側傾斜部１４ａについては、他のフレーム側傾斜部１４ｂ，１４ｃよりも高く傾斜部分を形成し、３つのフレーム側傾斜部１４ａ，１４ｂ，１４ｃの高さを不均一とした構造としている。また、本実施例では前記フレーム側傾斜部１４ａ，１４ｂ，１４ｃの両端には夫々平坦部分を設けている。
【００２７】
一方、図６は本発明の実施例における回動部材を示しており、図６（ａ）は回動部材の平面図、図６（ｂ）は同平面側斜視図、図６（ｃ）は同底面側斜視図、図６（ｄ）は図６（ｃ）の部分拡大斜視図である。同図で示すように、回動部材１０の略中央には貫通孔１７が形成してあり、前記貫通孔１７の周囲にはクランパ９を挿通して支持するための支持部２４が設けてある。そして、回動部材１０の貫通孔１７にクランパ９を挿通して支持部２４によって支持した状態で前記回動部材１０が回動することで昇降動し、前記クランパ９は前記回動部材１０の昇降動に併せて移動することとなる。また、回動部材１０の外周部分近傍であって、懸架部４と対向する位置には３つの回動部材側傾斜部１５ａ，１５ｂ，１５ｃが形成されている。前記回動部材側傾斜部１５ａ，１５ｂ，１５ｃは同一の高さまでほぼ同じ傾斜角度で形成してあり、前記上方側フレーム２ａの懸架部４に形成するフレーム側傾斜部１４ａ，１４ｂ，１４ｃに対して夫々形成してある。すなわち、フレーム側傾斜部１４ａ，１４ｂ，１４ｃと回動部材側傾斜部１５ａ，１５ｂ，１５ｃとは対応する位置に夫々形成し、回動部材１０が回動することで互いの傾斜部を乗り上げる構造としている。そして、フレーム側傾斜部１４ａ，１４ｂ，１４ｃは高さを不均一に形成してあり、互いの傾斜部を乗り上げるタイミングを変えていることから、回動部材１０は前記フレーム側傾斜部１４ａ，１４ｂ，１４ｃに沿って螺旋状に昇降動することとなり、クランパ９は回動部材１０併せて傾いた状態で移動することとなる。なお、前記回動部材１０の支持部２４にはクランパ９との対向面に部分的に突出した凸部１９を形成している。これは、前記回動部材に対してクランパ９を傾斜した状態で支持するために設けており、詳細については後述する。さらに、前記回動部材１０には、揺動レバー１６の連結軸１６ｂが挿通する連結孔１８が形成してあり、回動部材１０と揺動レバー１６とは連結した状態としている。そして、前記揺動レバー１６を揺動させることによって、前記回動部材１０は回動することとなる。
【００２８】
次に、揺動レバーが揺動する構造について図７を用いて説明する。図７は本発明の実施例におけるクランパの昇降動作及びトラバースユニットの傾動動作に関係する部材を示す分解斜視図である。同図で示すように、上方側フレーム２ａに設ける懸架部４には、磁性体１１を取着したクランパ９と、前記クランパ９を移動する為の回動部材１０とが組付けられている。そして、前記クランパ９に対向してターンテーブル８が位置するようにトラバースユニット１３がフレーム２の内部において傾動可能に配置され、前記トラバースユニット１３の傾動動作は摺動部材２０の摺動動作に連動して行われることとなる。具体的には、前記トラバースユニット１３の前方側に複数の突起部２１，２１，・・が設けてあり、対向する摺動部材２０には前記突起部２１と同数のカム溝２２，２２，・・が設けてある。そして、前記突起部２１，２１，・・は前記カム溝２２，２２，・・に遊嵌しており、前記摺動部材２０が摺動することで突起部２１，２１，・・はカム溝２２，２２，・・に沿って移動し、トラバースユニット１３が支点２５を中心に傾動することとなる。そして、前記摺動部材２０にはトラバースユニット１３の傾動動作と共にクランパ９の移動手段たる回動部材１０の昇降動作にも関係している。すなわち、回動部材１０と連結する揺動レバー１６の突出部１６ｃと摺動部材２０とを連結した構造としており、前記摺動部材２０が摺動することによって前記揺動レバー１６が支点軸１６ａを中心に揺動し、前記揺動レバー１６の連結軸１６ｂを介して回動部材１０が回動することとなり、前記回動部材１０の回動による昇降動作に伴ってクランパ９が移動することとなる。なお、本発明の実施例においては、前記摺動部材２０は下方側フレーム２ｂに摺動可能な状態で組付けられている。
【００２９】
次に、記憶媒体を搬送してから装置内部の所定位置でクランパとターンテーブルとによる前記記憶媒体の挟持が完了するまでの動作に関し、主にクランパの下降動作について図８〜図１３を用いて説明する。図８は本発明の実施例における記憶媒体の搬送途中の状態を示す図であり、図８（ａ）は記録再生装置全体を示す斜視図、図８（ｂ）はクランパ近傍を示す部分拡大平面図、図８（ｃ）はクランパ及びターンテーブル近傍を示す部分拡大断面図、図９は本発明の実施例における記憶媒体が装置内部の所定位置に到達した状態を示す図であり、図９（ａ）は記録再生装置全体を示す斜視図、図９（ｂ）はクランパ近傍を示す部分拡大平面図、図９（ｃ）はクランパ及びターンテーブル近傍を示す部分拡大断面図、図１０は本発明の実施例における回動部材の下降動作に伴うクランパの移動途中及びトラバースユニットの傾動途中の状態を示す図であり、図１０（ａ）は記録再生装置全体を示す斜視図、図１０（ｂ）はクランパ近傍を示す部分拡大平面図、図１０（ｃ）はクランパ及びターンテーブル近傍を示す部分拡大断面図、図１１は図１０の状態よりもさらに回動部材が下降し、トラバースユニットの傾動が進行した状態を示す図であり、図１１（ａ）は記録再生装置全体を示す斜視図、図１１（ｂ）はクランパ近傍を示す部分拡大平面図、図１１（ｃ）はクランパ及びターンテーブル近傍を示す部分拡大断面図、図１２は本発明の実施例においてトラバースユニットが略水平状態となってクランパとターンテーブルとによる記憶媒体の挟持が完了した状態を示す図であり、図１２（ａ）は記憶装置全体を示す斜視図、図１２（ｂ）はクランパ近傍を示す部分拡大平面図、図１２（ｃ）はクランパ及びターンテーブル近傍を示す部分拡大断面図、図１３は図８〜図１２までの各状態におけるクランパ近傍を示す部分拡大断面図、図１４は図８~図１２までの各状態における回動部材側傾斜部とフレーム側傾斜部との関係を示す概略展開図である。
【００３０】
記録再生装置１の記憶媒体挿入口３から記憶媒体５を挿入すると、前記記憶媒体挿入口３の内面側に設けた搬送ローラ６の搬送力によって前記記憶媒体５は所定位置へと搬送されることとなる。このとき、図８で示すように、トラバースユニット１３が一方端部を支点に傾斜した状態となっていることから、ターンテーブル８は前記記憶媒体５の搬送軌道上から退避した位置にある。また、クランパ９を支持する回動部材１０は、前記回動部材１０の回動部材側傾斜部１５ａ,１５ｂ，１５ｃが懸架部４のフレーム側傾斜部１４ａ，１４ｂ，１４ｃに沿って上昇した位置にあり、前記記憶媒体５の搬送軌道上から退避した退避位置にある。このとき、前記回動部材１０の上部は懸架部４に形成された複数の爪部２３，２３，・・によってフレーム２から外れないようになっており、前記爪部２３，２３，・・と懸架部４のフレーム側傾斜部１４ａ，１４ｂ，１４ｃとで前記回動部材１０は挟まれて略水平に保持された状態となっている。
【００３１】
記憶媒体５が図８の位置から搬送ローラ６の搬送力によって装置内部の所定位置に搬送された状態が図９である。このとき、クランパ９とターンテーブル８は図８の状態と同じく前記記憶媒体５の搬送軌道上より退避していることから、搬送する前記記憶媒体５を傷付けることは無い。
【００３２】
記憶媒体５が搬送ローラ６によって記録再生装置１内部の所定位置に搬送されるならば、摺動部材２０が摺動動作を開始し、前記摺動部材２０の摺動動作に連動して回動部材１０の下降動作及びトラバースユニット１３の傾動動作が開始される。図１０は摺動部材２０が僅かに摺動した状態を示している。すなわち、前記摺動部材２０が摺動することによって揺動レバー１６が支点軸１６ａを中心に反時計方向へと揺動し、前記揺動レバー１６の連結軸１６ｂを介して連結状態にある回動部材１０は時計方向へと回動することとなる。このとき、回動部材１０に形成された回動部材側傾斜部１５ａ,１５ｂ，１５ｃが懸架部４に形成されたフレーム側傾斜部１４ａ，１４ｂ，１４ｃに沿って下降し、同じく前記懸架部４に形成された爪部２３，２３，・・と前記回動部材１０との間に隙間が生じる。そして、前記回動部材１０に形成された凸部１９によって、クランパ９は図１０（ｃ）で示すように僅かに傾いた状態で下降することとなる。
【００３３】
図１０で示す状態から摺動部材２０をさらに摺動すれば、回動部材１０は揺動レバー１６の揺動動作によってさらに回動し、前記回動部材１０に形成する回動部材側傾斜部１５ａ，１５ｂ，１５ｃは上方側フレーム２ａの懸架部４に設けたフレーム側傾斜部１４ａ，１４ｂ，１４ｃに沿って下降するとともに、トラバースユニット１３は上昇方向へと一方端部の支点２５を中心に傾動して図１１で示す状態となる。このとき、上方側フレーム２ａの懸架部４に形成されたフレーム側傾斜部１４ａと他のフレーム側傾斜部１４ｂ，１４ｃとの高さが異なり、且つ互いの傾斜部分にかかるタイミングを変えていることから、図１１（ｃ）で示すように前記回動部材１０は傾いた状態で下降し、前記回動部材１０に支持されたクランパ９もさらに傾いた状態となる。そして、前記クランパ９の対向位置にあるターンテーブル８は、記憶媒体５に形成された貫通孔にその一部を挿嵌して持上げることとなる。なお、前記回動部材１０に支持されたクランパ９の傾きは傾動するトラバースユニット１３に合わせて設けている。すなわち、前記クランパ９の傾斜状態は傾動するトラバースユニット１３の主要構成部品たるターンテーブル８と略対称的となっており、互いが最も近接する位置から所定位置にある記憶媒体５を漸次挟持するように設けてあり、前述の構造によって前記記憶媒体５を挟持する際の挟持音を最小限に抑えることが可能となる。
【００３４】
図１１で示す状態から摺動部材２０をさらに摺動すれば、回動部材１０は揺動レバー１６の揺動動作によってさらに回動し、前記回動部材１０に形成する回動部材側傾斜部１５ａ，１５ｂ，１５ｃは上方側フレーム２ａの懸架部４に設けたフレーム側傾斜部１４ａ，１４ｂ，１４ｃに沿って下降すると共に、トラバースユニット１３は一方端部の支点２５を中心に傾動して図１２で示す略水平な状態となる。同図で示すように、挟持位置にあるクランパ９は記憶媒体５の表示面側（レーベル面側）と当接して回動部材１０から離間した状態となる。また、ターンテーブル８は前記記憶媒体５を持上げた状態となり、この状態から前記記憶媒体５を回転して光ピックアップユニット１２によって情報の読込み若しくは情報の書込みが可能となる。なお、本発明の実施例においては、クランパ９に磁性体１１を取着し、対向位置にあるターンテーブル８には磁石を備えた構成としている。すなわち、所定位置にある記憶媒体５の挟持は、クランパ９に取着した磁性体１１とターンテーブル８に備えた磁石との間で発生する磁力によってなされることとなる。
【００３５】
図１３は図８〜図１２までの各状態におけるクランパ近傍を示した部分拡大断面図である。記憶媒体５が記録再生装置１の所定位置に到達するまでは、図１３（ａ）及び図１３（ｂ）で示すように、クランパが退避位置において回動部材１０と爪部２３とに挟持されて略水平状態となっている。そして、ターンテーブル１３が傾動動作を始めると同時に回動部材１０が回動して下降するとともに、支持されたクランパ９も併せて移動を開始する。図１３（ｃ）は回動部材１０が時計方向へと回動して下降する途中の状態を示しており、回動部材１０の支持部２４に形成した凸部１９によって、クランパ９は傾いた状態で前記回動部材１０と共に下降することとなる。図１３（ｃ）の状態からさらに回動部材１０が時計方向へと回動するならば、フレーム側傾斜部１４ａに沿って移動する回動部材側傾斜部１５ａが、他の傾斜部よりも早く下降することとなり、前記回動部材１０は図１３（ｄ）で示すように傾いた状態となる。そして、前記回動部材１０に支持されたクランパ９は、前記回動部材１０の傾斜状態によって図１３（ｃ）で示す状態よりもさらに傾くこととなる。この状態から、対向位置より傾動するトラバースユニット１３のターンテーブル８によって持上げられた記憶媒体５の表示面側（レーベル面側）を、前記ターンテーブル８と最も早く近接する部分からクランパ９が漸次近接して磁力により前記記憶媒体５を挟持することとなる。図１３（ｅ）は挟持位置においてターンテーブル８とともに記憶媒体５を挟持したときのクランパ９の状態を示している。
【００３６】
図１４は図８~図１２までの各状態における回動部材側傾斜部とフレーム側傾斜部との関係を示す概略展開図である。図１４（ａ）及び図１４（ｂ）で示すように、クランパが退避位置にあるときは回動部材側傾斜部１５ａがフレーム側傾斜部１４ａの傾斜部分にかかった状態にあり、回動部材側傾斜部１５ｂと回動部材側傾斜部１５ｃはフレーム側傾斜部１４ｂとフレーム側傾斜部１４ｃの上方側平坦部分に乗り上げた状態にある。この状態から、回動部材１０が回動することで回動部材側傾斜部１５ａ，１５ｂ，１５ｃはフレーム側傾斜部１４ａ，１４ｂ，１４ｃに沿って移動することとなるが、フレーム側傾斜部１４ａと他のフレーム側傾斜部１４ｂ，１４ｃとの高さが異なり、且つ互いの傾斜部分にかかるタイミングを変えていることから、図１４（ｃ）及び図１４（ｄ）で示すように回動部材側傾斜部１５ｂ，１５ｃがフレーム側傾斜部１４ｂ，１４ｃを下降するよりも先に回動部材側傾斜部１５ａがフレーム側傾斜部１４ａを下降して前記回動部材１０は傾斜状態となる。特に図１４（ｄ）で示す状態においては、フレーム側傾斜部１４ａに対する回動部材側傾斜部１５ａの高さ方向の位置とフレーム側傾斜部１４ｂ，１４ｃに対する回動部材側傾斜部１５ｂ，１５ｃの高さ方向の位置との間で図示ｘの差が生じ、回動部材１０は傾く。そして、回動部材１０がさらに回動することで回動部材側傾斜部１５ａ，１５ｂ，１５ｃはフレーム側傾斜部１４ａ，１４ｂ，１４ｃの下方側平坦部分にかかり、前記回動部材１０は略水平状態となる。
【００３７】
なお、記録再生装置１の内部から記憶媒体挿入口３へと記憶媒体５を搬送するときの動作については、前述の逆の動作によって行われることとなる。すなわち、ユーザーが記録再生装置１の内部から記憶媒体挿入口３へと記憶媒体５を搬送するための機器外部に備える操作釦などを押圧することでトラバースユニット１３は略水平状態から傾斜状態へと傾動するとともに、クランパ９は回動部材１０の回動動作によって挟持位置から退避位置へと移動することとなる。ここで、クランパ９は、懸架部４に設けたフレーム側傾斜部１４ａ，１４ｂ，１４ｃと、回動部材１０に設けた回動部材側傾斜部１５ａ，１５ｂ，１５ｃ、および凸部１９によって傾いた状態で移動し、ターンテーブル８とクランパ９とが最も早く離間する部分から漸次離間することとなり、磁力による負荷を軽減しながら移動することとなる。
【００３８】
以上、本発明の一実施例について詳述したが、本発明は前記実施例に限定されるものではなく、本発明の要旨の範囲内で種々の変形実施が可能である。例えば前記実施例では、懸架部に形成する複数の傾斜部の高さを変更することで回動部材を螺旋状に昇降動し、さらに回動部材の支持部に凸部を設けることによってクランパを傾けた状態で移動する例を示したが、懸架部に形成する傾斜部の高さを一定とし、回動部材に形成する複数の傾斜部の高さを変更してもよく、また、前記懸架部に形成する傾斜部の上部に沿って移動する回動部材１０の傾斜部の夫々の移動するタイミングを変えて位相をずらすように構成してもよい。加えて、本実施例ではクランパに磁性体を取着し、対向するターンテーブルに磁石を備えた例を示したが、クランパに磁石を取着してターンテーブルに磁性体を取着する構成であってもよく、磁力による記憶媒体の挟持手段に限定することなく適宜選定すればよい。さらに、本発明の実施例では、記憶媒体搬送手段として搬送ローラと押圧部材とによるスロットイン方式の構成を示したが、同じスロットイン方式であっても記憶媒体の外周縁に当接する搬送ローラを備えた構造や、スロットイン方式以外の搬送手段として記憶媒体の載置部を備えたトレイによる搬送手段であってもよく、本発明の実施例に限定するものではなく適宜選定すればよい。
【符号の説明】
【００３９】
１    記録再生装置
２    フレーム
２ａ  上方側フレーム
２ｂ  下方側フレーム
３    記憶媒体挿入口
４    懸架部
５    記憶媒体
６    搬送ローラ
７    押圧部材
８    ターンテーブル
９    クランパ
１０    回動部材
１１    磁性体
１２    光ピックアップユニット
１３    トラバースユニット
１４（１４ａ，１４ｂ，１４ｃ）    フレーム側傾斜部
１５（１５ａ，１５ｂ，１５ｃ）    回動部材側傾斜部
１６    揺動レバー
１６ａ  支点軸
１６ｂ  連結軸
１６ｃ  突出部
１７    貫通孔
１８    連結孔
１９    凸部
２０    摺動部材
２１    突起部
２２    カム溝
２３    爪部
２４    支持部
２５    支点